(57)【要約】【課題】  手摺の支持具が上下方向（手摺が縦方向へ設置される場合は左右方向）と共に、前後方向をも調節可能であり、その二つの調節を同時に行えるようにでき、更に間柱や横桟の存在に制約を受けることなく、しかも天井や床への固定も可能とし、手摺の設置位置に応じて支持具を配置できる構成とする。【解決手段】  取り付け面に固定されるガイドレール部材３ａ、３ｂと、手摺１に先端部が取り付けられ対向して開閉する一対のアーム部材２ａ、２ｂを備えている。各アーム部材２ａ、２ｂは基端部側をガイドレール部材３ａ、３ｂに沿って移動調節可能に取り付けられた移動体４ａ、４ｂを介して、取り付け面に対して回動可能に取り付ける。一方の側のアーム部材３ａの先端部を手摺１に固定し、他方の側のアーム部材３ｂの先端部を手摺１に回動可能に枢着６する。【選択図】  図１
2005113476.tif 000002
【特許請求の範囲】
【請求項１】
取り付け面に固定されるガイドレール部材と、手摺に先端部が取り付けられ対向して開閉する一対のアーム部材を備え、前記各アーム部材は基端部側がガイドレール部材に沿って移動調節可能に取り付けられた移動体を介して、取り付け面に対して回動可能に取り付けられていることを特徴とする手摺の支持具。
【請求項２】
一方の側のアーム部材の先端部は手摺に固定され、他方の側のアーム部材の先端部は手摺に回動可能に取り付けられていることを特徴とする請求項１記載の手摺の支持具。
【請求項３】
ガイドレール部材は長手方向に一定の間隔をおいて貫通孔が穿設された管材又は棒材であり、この管材又は棒材の外側に移動体がスライド可能に設けられ、移動体から貫通孔に固定用ピンが挿脱可能に嵌挿されていることを特徴とする請求項１又は２記載の支持具。
【請求項４】
ガイドレール部材は回転螺軸であり、この回転螺軸に移動体が移動可能に螺合していることを特徴とする請求項１又は２記載の手摺の支持具。
【発明の詳細な説明】
【技術分野】
【０００１】
本発明は、主に建物内に設置する各種手摺の設置場所に位置決めして支持する手摺の支持具に関するものである。
【背景技術】
【０００２】
各種手摺の設置する場所を調節可能に位置決めする支持具又は支持装置としては、例えば特開２００１ー３１７１７３、特開２００１ー２７０２６、特開平６ー２１２７６１及び特開平１０ー４６７７７等が公知と成っている。
【０００３】
そして、これらの４件の公報のうち、１番目から３番目までの公報のものは、手摺の上下位置を調節可能にすることを目的とし、最後の４番目の公報のものは、手摺の前後位置の調節を可能とすることを目的としたものである。
【特許文献１】特開２００１ー３１７１７３
【特許文献２】特開２００１ー２７０２６
【特許文献３】特開平６ー２１２７６１
【特許文献４】特開平１０ー４６７７７
【発明の開示】
【発明が解決しようとする課題】
【０００４】
上記のように、これまでの手摺を支持し位置決めする支持具又は支持装置は、手摺が横方向へ設置される場合に、上下方向又は前後方向への調節は可能であるが、上下及び前後を共に調節することを目的とするものは存在しない。
又、支持具の壁面への固定は間柱や横桟の存在に制約を受け、手摺の自由な位置決めに支障になっている。
【０００５】
そこで、本発明は手摺の支持具が上下方向（手摺が縦方向へ設置される場合は左右方向）と共に、前後方向をも調節可能であり、その二つの調節を同時に行えるようにでき、更に間柱や横桟の存在に制約を受けることなく、しかも天井や床への固定も可能とし、手摺の設置位置に応じて支持具を配置できる構成とせんとするものである。
【課題を解決するための手段】
【０００６】
上記課題を解決するため請求項１記載の本発明手摺の支持具は、取り付け面に固定されるガイドレール部材と、手摺に先端部が取り付けられ対向して開閉する一対のアーム部材を備え、前記各アーム部材は基端部側がガイドレール部材に沿って移動調節可能に取り付けられた移動体を介して、取り付け面に対して回動可能に取り付けられていることを特徴とするものである。
【０００７】
このような構成とすることにより、手摺に先端部が取り付けられ対向して開閉する一対のアーム部材の基端部側がガイドレール部材に沿って移動し、かつ取り付け面に対して回動可能となっているため、アーム部材の基端部側が移動し、一対のアーム部材が開閉することで手摺の設置位置に応じられる支持具となるものである。
又、一対のアーム部材の基部側が移動することで取り付け面を自由に決定できるから、壁面、天井面或いは床面の支持の強固な面を選んでガイドレール部材を取り付けることができる。
【０００８】
一対のアーム部材が手摺に先端部が取り付けられ、基部側が移動することで、移動体を結ぶ想像線と一対のアーム部材とで三角形（例外的に想像線上に直線を形成することもある）を形成することとなり、安定した支持具を構成できると共に、手摺の位置を上下及び前後の位置を自在に変化させて決定することができる。
【０００９】
そして、アーム部材の基部側が取り付け面に対して移動体を介して回動可能に取り付けられているため、移動体の移動でアーム部材の角度を自由に合わせられ、移動体を固定することで形成された三角形状も固定されるため、手摺を強固に支持できる。
又、一対のアーム部材の先端部が手摺に取り付けられ開閉するため、両アーム部材が連動して位置決めが行える。
【００１０】
次に、請求項２記載の本発明手摺の支持具は、請求項１記載の手摺の支持具において、一方の側のアーム部材の先端部は手摺に固定され、他方の側のアーム部材の先端部は手摺に回動可能に取り付けられていることを特徴とするものである。
【００１１】
このような構成とすることにより、手摺は掴んだ時に、周方向に回動することが阻止され、安全なものとなる。
【００１２】
次に、請求項３記載の本発明手摺の支持具は、請求項１又は２記載の手摺の支持具において、ガイドレール部材は長手方向に一定の間隔をおいて貫通孔が穿設された管材又は棒材であり、この管材又は棒材の外側に移動体がスライド可能に設けられ、移動体から貫通孔に固定用ピンが挿脱可能に嵌挿されていることを特徴とするものである。
【００１３】
このような構成とすることにより、移動体に嵌挿された固定用ピンを外すことにより、移動体を移動させて手摺の設置位置に応じて上下方向や取り付け面からの距離を簡単に調節できる。
【００１４】
次に、請求項４記載の本発明手摺の支持具は、請求項１又は２記載の手摺の支持具において、ガイドレール部材は回転螺軸であり、この回転螺軸に移動体が移動可能に螺合していることを特徴とするものである。
【００１５】
このような構成とすることにより、回転螺軸を正逆回転することにより移動体を移動させて、手摺の設置位置に応じて上下方向や取り付け面からの距離を簡単に調節できる。
【発明の効果】
【００１６】
本発明に係る手摺の支持具によれば、手摺の任意の設置位置に応じて、支持具を壁面等の取り付け面に固定して手摺を支承できるものであり、手摺の設置高さと同時に壁面からの前後位置にも自在に応じられる効果を有し、しかも二つの調節を同時に行えるものである。
【００１７】
そして、従来支持具の壁面への固定位置は、間柱や横桟の存在に制約を受けるか、特別に固定用桟を増設する必要があったけれども、本発明は既存の間柱や横桟或いは天井面や床面をそのまま利用して任意の位置に手摺の支承面を対応させることができる効果を有するものである。
【発明を実施するための最良の形態】
【００１８】
以下、本発明の一実施の形態を図面に基づき説明する。
図１は本発明手摺の支持具の一実施の形態を示す斜視図である。
本発明手摺の支持具は、手摺１に先端部が取り付けられ対向して開閉する一対のアーム部材２ａ、２ｂと、取り付け面に固定されるガイドレール部材３ａ、３ｂと、アーム部材２ａ、２ｂの基部側を回動可能に取り付け、ガイドレール部材３ａ、３ｂに沿って移動する移動体４ａ、４ｂを備えている。
【００１９】
一対のアーム部材２ａ、２ｂは横方向に設置する手摺１の両端部に夫々取り付けられている。
そして、一方の側のアーム部材２ａ、２ａの先端部は、手摺１の端部に略Ｌ形の継手５ａで手摺１と一体に固定され、基端部は略Ｌ形の継手７ａを介して、手摺１と平行な連結材８ａと一体に連結され固定されている。
【００２０】
又、他方の側のアーム部材２ｂ、２ｂの先端部は、手摺１の端部に回動可能に枢着６され、基端部は略Ｌ形の継手７ｂを介して、手摺１と平行な連結材８ｂと一体に連結され固定されている。
これにより、一対のアーム部材２ａ、２ｂは先端部を支点として開閉可能となっている。そして、両連結材８ａ、８ｂの両側に移動体４ａ、４ａ、４ｂ、４ｂが取り付けられている。
【００２１】
移動体４ａ、４ｂは、連結材８ａ、８ｂと直交する方向に設置された後に説明するガイドレール部材３ａ、３ｂが挿通する挿通孔４ａ１、４ｂ１を有する基台部４ａ２、４ｂ２と、この基台部４ａ２、４ｂ２に固定され連結材８ａ、８ｂが挿通する筒部４ａ３、４ｂ３から構成され、基台部４ａ２、４ｂ２はガイドレール部材３ａ、３ｂに沿ってスライド可能にガイドレール部材３ａ、３ｂの外側に嵌挿し、連結材８ａ、８ｂは筒部４ａ３、４ｂ３に回動可能に挿通されている。
【００２２】
又、移動体４ａ、４ｂの側部にピン孔４ａ４、４ｂ４が穿設され、このピン孔４ａ４、４ｂ４から後に説明するガイドレール部材３ａ、３ｂの貫通孔３ａ１、３ｂ１にＴ字状の固定用ピン９ａ、９ｂが挿脱可能に嵌挿され、移動体４ａ、４ｂの移動調節が可能となっている。
【００２３】
ガイドレール部材３ａ、３ｂは、一方の側のアーム部材２ａ側のガイドレール部材３ａは床面（取り付け面）１０に連結材８ａと直交する方向に設置され、ガイドレール部材３ａの両端部は床面１０に固定した取り付け面固定部材１１ａ、１１ａに固着されている。取り付け面固定部材１１ａ、１１ａは床板又は根太に固定する。
又、他方の側のアーム部材２ｂ側のガイドレール部材３ｂは壁面（取り付け面）１２に連結材８ｂと直交する方向に設置され、ガイドレール部材３ｂの両端部は壁面１２に固定した取り付け面固定部材１１ｂ、１１ｂに固着されている。取り付け面固定部材１１ｂ、１１ｂは間柱又は横桟のある壁面１２に固定する。
ガイドレール部材３ａ、３ｂは、丸パイプ形状で側部に長手方向に一定の間隔をおいて貫通孔３ａ１、３ｂ１が穿設されている。
尚、ガイドレール部材３ａ、３ｂは丸棒形状でも良い。
【００２４】
このような構成を有する本発明支持具は、両方の側の移動体４ａ、４ｂを移動調節するか、何れか一方の側の移動体を移動調節することにより、一対のアーム部材２ａ、２ｂが開閉するから、上下・前後の任意位置に設定した手摺１を支承することができるものである。
又、手摺１の設置高さや長手方向の適宜位置に支持具を固定する間柱や横桟等が存在しない場合でも、取り付け面固定部材１１ａ、１１ｂを間柱のある部位或いは横桟や天井・床等に固定してガイドレール部材３ａ、３ｂを取り付け、移動体４ａ、４ｂを移動調節すれば良いため、手摺１の設置位置に制約を受けることなく、対応して取り付け面固定部位に１１ａ、１１ｂを固定できるのである。
【００２５】
図１では、一対のアーム部材２ａ、２ｂの取り付け面を床面１０と壁面１２に配置してあるが、図２に示す複数例のように、天井面１３と壁面１２、床面１０又は壁面１２或いは天井面１３の同一面、更に床面１０と天井面１３に配置することも可能である。
この場合、同一面に設置する時はガイドレール部材３ａ、３ｂが一線上に重ならないよう、ずらして取り付ける。
又、図示されていないが、手摺１を上下方向に設置する場合にも、本発明に係る支持具は有効に利用できるものである。
【００２６】
次に、図３は請求項４に係る発明の一実施の形態を示す斜視図であり、図１と相当する箇所には、それと同一符号を付してある。
この支持具は、取り付け面に取り付けられるガイドレール部材３ａ、３ｂは回転螺軸となっている。この回転螺軸の外周の螺子部に移動体４ａ、４ｂが回転螺軸に沿って移動可能に螺合している。
この移動体４ａ、４ｂは、内周面に回転螺軸の螺子部と螺合する螺子部を有する筒形状の基体４ａ２、４ｂ２と、この基体４ａ２、４ｂ２に基体４ａ２、４ｂ２と直交して固定した連結材８ａ、８ｂが回動可能に挿通する筒体４ａ３、４ｂ３から構成されている。
【００２７】
そして、回転螺軸を正逆回転することにより、移動体４ａ、４ｂを移動させ、一対のアーム部材２ａ、２ｂを開閉し、手摺の設置位置に応じて上下方向や取り付け面からの距離を簡単に調節できる。
回転螺軸の駆動は手動又は正逆回転モータ等で行うが、左右の回転螺軸の駆動は連動機構により同一動するように構成される。
【００２８】
以上、本発明を実施の形態に基づき具体的に説明したが、本発明は上記実施形態に限定されるものではなく、アーム部材の基端部を直接移動体に回動可能に取り付け、連結材を不要とすることもでき、又移動体とガイドレール部材とのスライド構成、各部の固定手段等が限定されるものではなく、他の構成又は固定手段等で同一の作用を奏する構成・手段であってもよい。
【図面の簡単な説明】
【００２９】
【図１】本発明手摺の支持具の一実施の形態を示す斜視図である。
【図２】本発明手摺の支持具の複数の使用状態を示す断面図である。
【図３】本発明手摺の支持具の他の実施の形態を示す斜視図である。
【符号の説明】
【００３０】
１  手摺
２ａ、２ｂ  アーム部材
３ａ、３ｂ  ガイドレール部材
４ａ、４ｂ  移動体
６  枢着
８ａ、８ｂ  連結材
１０  床面
１２  壁面
１３  天井面
【図１】
2005113476.tif 000003
【図２】
2005113476.tif 000004
【図３】
2005113476.tif 000005